(57)【要約】【課題】電極間のショートを抑制できる害虫撃退装置を提供する。【解決手段】害虫撃退装置３００は、絶縁性及び撥水性を有するベース部材６と、ベース部材６の表面に設けられた下側電極５と、ベース部材６の表面に設けられ、下側電極５に対して間隙をあけて配置された上側電極４ａと、を備え、上側電極４ａ及び下側電極５に電圧が印加される。【選択図】図１
2015228837.tif 000002
【特許請求の範囲】
【請求項１】
絶縁性及び撥水性を有するベース部材と、
前記ベース部材の表面に設けられた下側電極と、
前記ベース部材の表面に設けられ、前記下側電極に対して間隙をあけて配置された上側電極と、を備え、
前記上側電極及び前記下側電極に電圧が印加される害虫撃退装置。
【請求項２】
請求項１記載の害虫撃退装置において、
前記下側電極は、前記ベース部材の下端よりも上側に配置され、
前記上側電極は、前記ベース部材の上端よりも下側に配置されている害虫撃退装置。
【請求項３】
請求項２記載の害虫撃退装置において、
前記間隙に水が貯まることを抑制する抑制構造と、を更に備えた害虫撃退装置。
【請求項４】
請求項３記載の害虫撃退装置において、
前記抑制構造は、前記間隙に設けられた突起を有する害虫撃退装置。
【請求項５】
請求項２記載の害虫撃退装置において、
前記上側電極の上端部の高さ位置が、前記下側電極の上端部の高さ位置よりも高く、該上側電極の下端部の高さ位置が、前記下側電極の上端部の高さ位置以下となっている害虫撃退装置。
【請求項６】
請求項５記載の害虫撃退装置において、
前記上側電極が、前記下側電極よりも該下側電極の厚み方向にずれて配置されている害虫撃退装置。
【請求項７】
請求項５記載の害虫撃退装置において、
前記上側電極の下部が、前記下側電極の表面の側に延びている害虫撃退装置。
【請求項８】
絶縁性及び撥水性を有し、第１の通気孔が形成されたベース部材と、
前記ベース部材の表面に設けられ、第２の通気孔が形成された下側電極と、
前記ベース部材の表面に設けられ、前記下側電極に対して間隙をあけて配置され、第３の通気孔が形成された上側電極と、を備え、
前記上側電極及び前記下側電極に電圧が印加され、
建物に設けられた換気口を覆う害虫撃退装置。
【発明の詳細な説明】
【技術分野】
【０００１】
本発明は、害虫撃退装置に関する。
【背景技術】
【０００２】
特許文献１には、厨房、食堂、食品保存室等に設置されている収納家具、流し台キャビネット、テーブル等に付設する電撃式防虫装置が記載されている。
この電撃式防虫装置は、それぞれ断面形状が異なる少なくとも一対の電撃用の電極帯を絶縁基板上に相互間に小間隙をもたせ、かつ平行に配設し、前記一対の電極帯に定電圧を印加する電源装置を備えている。
【先行技術文献】
【特許文献】
【０００３】
【特許文献１】特開昭６０−１３７２３６号公報
【発明の概要】
【発明が解決しようとする課題】
【０００４】
ここで、一対の電極を有する害虫撃退装置は、雨天時に電極から漏電する可能性がある。
本発明は、電極からの漏電を抑制できる害虫撃退装置を提供することを目的とする。
【課題を解決するための手段】
【０００５】
前記目的に沿う第１の発明に係る害虫撃退装置は、絶縁性及び撥水性を有するベース部材と、
前記ベース部材の表面に設けられた下側電極と、
前記ベース部材の表面に設けられ、前記下側電極に対して間隙をあけて配置された上側電極と、を備え、
前記上側電極及び前記下側電極に電圧が印加される。
【０００６】
第１の発明に係る害虫撃退装置において、
前記下側電極は、前記ベース部材の下端よりも上側に配置され、
前記上側電極は、前記ベース部材の上端よりも下側に配置されていることが好ましい。
【０００７】
第１の発明に係る害虫撃退装置において、
前記間隙に水が貯まることを抑制する抑制構造と、を更に備えていてもよい。
【０００８】
第１の発明に係る害虫撃退装置において、
前記抑制構造は、前記間隙に設けられた突起を有することが好ましい。
【０００９】
第１の発明に係る害虫撃退装置において、
前記上側電極の上端部の高さ位置が、前記下側電極の上端部の高さ位置よりも高く、該上側電極の下端部の高さ位置が、前記下側電極の上端部の高さ位置以下となっていることが好ましい。
【００１０】
第１の発明に係る害虫撃退装置において、
前記上側電極が、前記下側電極よりも該下側電極の厚み方向にずれて配置されていることが好ましい。
【００１１】
第１の発明に係る害虫撃退装置において、
前記上側電極の下部が、前記下側電極の表面の側に延びていることが好ましい。
【００１２】
前記目的に沿う第２の発明に係る害虫撃退装置は、絶縁性及び撥水性を有し、第１の通気孔が形成されたベース部材と、
前記ベース部材の表面に設けられ、第２の通気孔が形成された下側電極と、
前記ベース部材の表面に設けられ、前記下側電極に対して間隙をあけて配置され、第３の通気孔が形成された上側電極と、を備え、
前記上側電極及び前記下側電極に電圧が印加され、
建物に設けられた換気口を覆う。
【発明の効果】
【００１３】
本発明によれば、電極からの漏電を抑制できる害虫撃退装置を提供できる。
【図面の簡単な説明】
【００１４】
【図１】本発明の第１の実施の形態に係る害虫撃退装置の斜視図である。
【図２】同害虫撃退装置の側面図である。
【図３】本発明の第２の実施の形態に係る害虫撃退装置の斜視図である。
【図４】同害虫撃退装置の側面図である。
【図５】本発明の第３の実施の形態に係る害虫撃退装置の斜視図である。
【図６】同害虫撃退装置の側面図である。
【図７】本発明の第４の実施の形態に係る害虫撃退装置の斜視図である。
【図８】同害虫撃退装置の側面図である。
【図９】同害虫撃退装置の変形例を示す斜視図である。
【図１０】同害虫撃退装置の変形例を示す側面図である。
【図１１】本発明の第５の実施の形態に係る害虫撃退装置の斜視図である。
【図１２】同害虫撃退装置の側面図である。
【図１３】同害虫撃退装置と換気口との位置関係を示す説明図である。
【発明を実施するための形態】
【００１５】
続いて、添付した図面を参照しつつ、本発明を具体化した実施の形態につき説明し、本発明の理解に供する。なお、図において、説明に関連しない部分は図示を省略する場合がある。
【００１６】
〔第１の実施の形態〕
本発明の第１の実施の形態に係る害虫撃退装置１００は、建物の外壁の下部に取り付けられ、例えばムカデ（害虫の一例）が建物の内部に侵入することを抑制できる。害虫撃退装置１００は、図１及び図２に示すように、絶縁シート６、下側電極５、及び上側電極４を備えている。
【００１７】
絶縁シート（ベース部材の一例）６は、絶縁材料で形成され、例えば、建物の外壁の下部（地面から例えば５０〜５００ｍｍの高さ位置）に取り付けられる。絶縁シート６は、横方向に長い矩形状をしている。絶縁シートは、例えば表面がコーティングされ、下側電極５及び上側電極４の間隙７に水がたまらない程度の撥水性を有している。
【００１８】
下側電極５は、絶縁シート６の表面に取り付けられている。下側電極５は、左右方向に延びる板状の電極である。下側電極５は、絶縁シート６の下端よりも上側に配置されている。従って、建物の外壁が濡れている場合であっても、下側電極５からの漏電が抑制される。
【００１９】
上側電極４は、絶縁シート６の表面に取り付けられている。上側電極４は、左右方向に延びる板状の電極である。上側電極４は、絶縁シート６の上端よりも下側に配置されている。従って、建物の外壁が濡れている場合であっても、上側電極４からの漏電が抑制される。上側電極４は、下側電極５の上側に配置され、下側電極５に対して間隙７をあけて配置されている。この間隙７は、例えば、２〜１０ｍｍである。間隙７においては、絶縁シート６が露出しているが、この絶縁シート６は、撥水性を有しているので、間隙７に水がたまることが抑制され、下側電極５及び上側電極４の間でショートすることが抑制される。
下側電極５及び上側電極４には、図示しない電源装置が接続され、電圧が印加されている。印加される電圧の大きさは、例えば、５〜１０００Ｖである。
【００２０】
次に、害虫撃退装置１００を用いたムカデの撃退方法について説明する。
使用者は、予め害虫撃退装置１００を建物の外壁の下部に設置する。害虫撃退装置１００は、外壁の周囲を隙間なく取り囲むように取り付けられることが好ましい。
外壁の下方から這い上がってくるムカデは、まず下側電極５に触れ、更に這い上がると、間隙７を跨いで上側電極４にも触れる。下側電極５及び上側電極４に触れたムカデには電流が流れる。その結果、ムカデは、電気的な衝撃を感じて這い上がることを断念する。
従って、害虫撃退装置１００によれば、建物内に侵入しようとするムカデを撃退できる。
【００２１】
〔第２の実施の形態〕
続いて、本発明の第２の実施の形態に係る害虫撃退装置２００について説明する。第１の実施の形態に係る害虫撃退装置１００と同一の構成要素については、同じ符号を付して詳しい説明を省略する。
【００２２】
本発明の第２の実施の形態に係る害虫撃退装置２００は、図３及び図４に示すように、絶縁シート６、下側電極５、及び上側電極４を備えている。
下側電極５と上側電極４の間にある間隙７には、間隙７が延びる方向に沿って、絶縁シート６から突出する突起９が形成されている。
このように、害虫撃退装置２００によれば、間隙７に突起９が形成されていることにより、間隙７に水滴がたまることが抑制されるので、絶縁シート６の撥水性能が経年変化により低下した場合であっても、電極間（下側電極５及び上側電極４の間）にてショートすることが抑制される。
【００２３】
〔第３の実施の形態〕
続いて、本発明の第３の実施の形態に係る害虫撃退装置３００について説明する。第１の実施の形態に係る害虫撃退装置１００と同一の構成要素については、同じ符号を付して詳しい説明を省略する。
【００２４】
本発明の第３の実施の形態に係る害虫撃退装置３００は、図５及び図６に示すように、絶縁シート６、下側電極５、及び上側電極４ａを備えている。
上側電極４ａの下部４１は外側に折り曲げられ、下側電極５の上端部の表面の側に延びている。換言すると、上側電極４ａの上端部の高さ位置は、下側電極５の上端部の高さ位置よりも高くなっており、上側電極４ａの下端部の高さ位置は、下側電極５の上端部の高さ位置以下となっている。
【００２５】
従って、間隙７が上側電極４ａの下部４１によって覆われているので、間隙７に水滴がたまることが抑制される。その結果、絶縁シート６の撥水性能が経年変化により低下した場合であっても、電極間（下側電極５及び上側電極４ａの間）にてショートすることが抑制される。
【００２６】
〔第４の実施の形態〕
続いて、本発明の第４の実施の形態に係る害虫撃退装置４００について説明する。第１の実施の形態に係る害虫撃退装置１００と同一の構成要素については、同じ符号を付して詳しい説明を省略する。
【００２７】
本発明の第４の実施の形態に係る害虫撃退装置４００は、図７及び図８に示すように、絶縁板１１、下側電極５、及び上側電極４を備えている。
絶縁板（ベース部材の一例）１１は、絶縁性を有している。また、絶縁板１１は、例えば表面がコーティングされ、撥水性を有している。絶縁板１１は、例えば、建物の外壁の下部（地面から例えば５０〜５００ｍｍの高さ位置）に取り付けられる。絶縁板１１は、正面から見ると横方向に長い矩形状であり、側面から見ると、上側が下側よりも厚くなるように形成されている。
上側電極４は、絶縁板１１の上側の表面に取り付けられ、下側電極５は、絶縁板１１の下側の表面に取り付けられている。従って、下側電極５及び上側電極４の間には、各電極４、５の厚み方向に間隙１２が形成されている。この間隙１２は、例えば、２〜１０ｍｍである。
【００２８】
換言すると、上側電極４は、下側電極５よりも下側電極５の厚み方向にずれて配置されている。側面から見ると、図８に示すように、上側電極４の方が、下側電極５よりも外側に配置され、上側電極４の上端部の高さ位置は、下側電極５の上端部の高さ位置よりも高くなっている。また、上側電極４の下端部の高さ位置は、下側電極５の上端部の高さ位置と実質的に同一となっている。
【００２９】
なお、害虫撃退装置４００の変形例として、図９及び図１０に示す害虫撃退装置４００ａのように、上側電極１８の上端部の高さ位置が、下側電極５の上端部の高さ位置よりも高くなっており、上側電極１８の下端部の高さ位置が、下側電極５の上端部の高さ位置よりも低くなっていてもよい。
【００３０】
すなわち、害虫撃退装置４００においては、上側電極４の上端部の高さ位置は、下側電極５の上端部の高さ位置よりも高くなっている。また、上側電極４の下端部の高さ位置は、下側電極５の上端部の高さ位置以下となっている。
従って、下側電極５及び上側電極４の間隙１２が水平方向に形成されているので、間隙１２に水滴がたまることが抑制され、絶縁板１１の撥水性能が経年変化により低下した場合であっても、電極間（下側電極５及び上側電極４の間）にてショートすることが抑制される。
【００３１】
〔第５の実施の形態〕
続いて、本発明の第５の実施の形態に係る害虫撃退装置５００について説明する。第１の実施の形態に係る害虫撃退装置１００と同一の構成要素については、同じ符号を付して詳しい説明を省略する。
【００３２】
本発明の第５の実施の形態に係る害虫撃退装置５００は、図１３に示すように、建物の下部に設けられた換気口１７を覆って取り付けられる。
害虫撃退装置５００は、図１１及び図１２に示すように、ベース部材１６、下側電極１４、及び上側電極１３を備えている。
【００３３】
ベース部材１６は、換気口１７（図１３参照）を塞ぐように取り付けられている。ベース部材１６は、図１１に示すように、複数の通気孔（第１の通気孔の一例）が形成された網状となっており、空気を通すことができる。ベース部材１６は、絶縁材料で形成されている。また、ベース部材１６は、例えば表面がコーティングされ、撥水性を有している。
下側電極１４は、ベース部材１６の表面に設けられている。下側電極１４は、左右方向に延び、複数の通気孔（第２の通気孔の一例）が形成された網状の電極である。下側電極１４は、ベース部材１６の下端よりも上側に配置されている。従って、害虫撃退装置５００が取り付けられる建物の外壁が濡れている場合であっても、下側電極１４からの漏電が抑制される。
上側電極１３は、ベース部材１６の表面に設けられている。上側電極１３は、左右方向に延び、複数の通気孔（第３の通気孔の一例）が形成された網状の電極である。上側電極１３は、ベース部材１６の上端よりも下側に配置されている。従って、建物の外壁が濡れている場合であっても、上側電極１３からの漏電が抑制される。上側電極１３は、下側電極１４の上側に配置され、下側電極１４に対して間隙１５をあけて配置されている。
【００３４】
なお、ベース部材１６、下側電極１４、及び上側電極１３にそれぞれ形成された通気孔の大きさは、ムカデが換気口１７（図１３参照）の内部に侵入できないよう、ムカデの大きさよりも小さくなっている。
下側電極１４及び上側電極１３には、図示しない電源装置が接続され、電圧が印加されている。印加される電圧の大きさは、例えば、５〜１０００Ｖである。
【００３５】
従って、害虫撃退装置５００は、換気口１７を覆って設置されるので、換気口１７からのムカデの侵入を抑制するだけでなく、害虫撃退装置５００を伝って這い上がろうとするムカデを撃退できる。
間隙１５には、間隙１５が延びる方向に沿って、ベース部材１６から突出する突起（不図示）が形成されていてもよい。この突起が形成されていることにより、間隙１５に水滴がたまることが抑制される。
【００３６】
以上、本発明の実施の形態を説明したが、本発明は、上記した形態に限定されるものでなく、要旨を逸脱しない条件の変更等は全て本発明の適用範囲である。
害虫撃退装置が撃退できる害虫はムカデに限定されるものではない。害虫撃退装置は、間隙の大きさや電極に印加される電圧の大きさに応じて、種々の害虫を撃退できる。
【符号の説明】
【００３７】
４    上側電極
４ａ  上側電極
５    下側電極
６    絶縁シート
７    間隙
９    突起
１１  絶縁板
１２  間隙
１３  上側電極
１４  下側電極
１５  間隙
１６  ベース部材
１７  換気口
１８  上側電極
４１  下部
１００  害虫撃退装置
２００  害虫撃退装置
３００  害虫撃退装置
４００  害虫撃退装置
５００  害虫撃退装置
【図１】
2015228837.tif 000003
【図２】
2015228837.tif 000004
【図３】
2015228837.tif 000005
【図４】
2015228837.tif 000006
【図５】
2015228837.tif 000007
【図６】
2015228837.tif 000008
【図７】
2015228837.tif 000009
【図８】
2015228837.tif 000010
【図９】
2015228837.tif 000011
【図１０】
2015228837.tif 000012
【図１１】
2015228837.tif 000013
【図１２】
2015228837.tif 000014
【図１３】
2015228837.tif 000015
【手続補正書】
【提出日】平成26年11月18日(2014.11.18)
【手続補正１】
【補正対象書類名】特許請求の範囲
【補正対象項目名】全文
【補正方法】変更
【補正の内容】
【特許請求の範囲】
【請求項１】
建物の外壁に取り付けられる害虫撃退装置であって、
絶縁性及び撥水性を有し、前記外壁に取り付けられるベース部材と、
前記ベース部材の表面に設けられた下側電極と、
前記ベース部材の表面に設けられ、前記下側電極に対して間隙をあけて配置された上側電極と、を備え、
前記下側電極が、前記ベース部材の下端よりも上側に配置され、
前記上側電極が、前記ベース部材の上端よりも下側に配置され、
前記上側電極及び前記下側電極に電圧が印加される害虫撃退装置。
【請求項２】
請求項１記載の害虫撃退装置において、
前記間隙に水が貯まることを抑制する抑制構造と、を更に備えた害虫撃退装置。
【請求項３】
請求項２記載の害虫撃退装置において、
前記抑制構造は、前記間隙に設けられた突起を有する害虫撃退装置。
【請求項４】
請求項１記載の害虫撃退装置において、
前記上側電極の上端部の高さ位置が、前記下側電極の上端部の高さ位置よりも高く、該上側電極の下端部の高さ位置が、前記下側電極の上端部の高さ位置以下となっている害虫撃退装置。
【請求項５】
請求項４記載の害虫撃退装置において、
前記上側電極が、前記下側電極よりも該下側電極の厚み方向にずれて配置されている害虫撃退装置。
【請求項６】
請求項４記載の害虫撃退装置において、
前記上側電極の下部が、前記下側電極の表面の側に延びている害虫撃退装置。
【請求項７】
絶縁性及び撥水性を有し、第１の通気孔が形成されたベース部材と、
前記ベース部材の表面に設けられ、第２の通気孔が形成された下側電極と、
前記ベース部材の表面に設けられ、前記下側電極に対して間隙をあけて配置され、第３の通気孔が形成された上側電極と、を備え、
前記上側電極及び前記下側電極に電圧が印加され、
建物に設けられた換気口を覆う害虫撃退装置。
【手続補正２】
【補正対象書類名】明細書
【補正対象項目名】全文
【補正方法】変更
【補正の内容】
【発明の詳細な説明】
【技術分野】
【０００１】
本発明は、害虫撃退装置に関する。
【背景技術】
【０００２】
特許文献１には、厨房、食堂、食品保存室等に設置されている収納家具、流し台キャビネット、テーブル等に付設する電撃式防虫装置が記載されている。
この電撃式防虫装置は、それぞれ断面形状が異なる少なくとも一対の電撃用の電極帯を絶縁基板上に相互間に小間隙をもたせ、かつ平行に配設し、前記一対の電極帯に定電圧を印加する電源装置を備えている。
【先行技術文献】
【特許文献】
【０００３】
【特許文献１】特開昭６０−１３７２３６号公報
【発明の概要】
【発明が解決しようとする課題】
【０００４】
ここで、一対の電極を有する害虫撃退装置は、雨天時に電極から漏電する可能性がある。
本発明は、電極からの漏電を抑制できる害虫撃退装置を提供することを目的とする。
【課題を解決するための手段】
【０００５】
前記目的に沿う第１の発明に係る害虫撃退装置は、建物の外壁に取り付けられる害虫撃退装置であって、
絶縁性及び撥水性を有し、前記外壁に取り付けられるベース部材と、
前記ベース部材の表面に設けられた下側電極と、
前記ベース部材の表面に設けられ、前記下側電極に対して間隙をあけて配置された上側電極と、を備え、
前記下側電極が、前記ベース部材の下端よりも上側に配置され、
前記上側電極が、前記ベース部材の上端よりも下側に配置され、
前記上側電極及び前記下側電極に電圧が印加される。
【０００６】
【０００７】
第１の発明に係る害虫撃退装置において、
前記間隙に水が貯まることを抑制する抑制構造と、を更に備えていてもよい。
【０００８】
第１の発明に係る害虫撃退装置において、
前記抑制構造は、前記間隙に設けられた突起を有することが好ましい。
【０００９】
第１の発明に係る害虫撃退装置において、
前記上側電極の上端部の高さ位置が、前記下側電極の上端部の高さ位置よりも高く、該上側電極の下端部の高さ位置が、前記下側電極の上端部の高さ位置以下となっていることが好ましい。
【００１０】
第１の発明に係る害虫撃退装置において、
前記上側電極が、前記下側電極よりも該下側電極の厚み方向にずれて配置されていることが好ましい。
【００１１】
第１の発明に係る害虫撃退装置において、
前記上側電極の下部が、前記下側電極の表面の側に延びていることが好ましい。
【００１２】
前記目的に沿う第２の発明に係る害虫撃退装置は、絶縁性及び撥水性を有し、第１の通気孔が形成されたベース部材と、
前記ベース部材の表面に設けられ、第２の通気孔が形成された下側電極と、
前記ベース部材の表面に設けられ、前記下側電極に対して間隙をあけて配置され、第３の通気孔が形成された上側電極と、を備え、
前記上側電極及び前記下側電極に電圧が印加され、
建物に設けられた換気口を覆う。
【発明の効果】
【００１３】
本発明によれば、電極からの漏電を抑制できる害虫撃退装置を提供できる。
【図面の簡単な説明】
【００１４】
【図１】本発明の第１の実施の形態に係る害虫撃退装置の斜視図である。
【図２】同害虫撃退装置の側面図である。
【図３】本発明の第２の実施の形態に係る害虫撃退装置の斜視図である。
【図４】同害虫撃退装置の側面図である。
【図５】本発明の第３の実施の形態に係る害虫撃退装置の斜視図である。
【図６】同害虫撃退装置の側面図である。
【図７】本発明の第４の実施の形態に係る害虫撃退装置の斜視図である。
【図８】同害虫撃退装置の側面図である。
【図９】同害虫撃退装置の変形例を示す斜視図である。
【図１０】同害虫撃退装置の変形例を示す側面図である。
【図１１】本発明の第５の実施の形態に係る害虫撃退装置の斜視図である。
【図１２】同害虫撃退装置の側面図である。
【図１３】同害虫撃退装置と換気口との位置関係を示す説明図である。
【発明を実施するための形態】
【００１５】
続いて、添付した図面を参照しつつ、本発明を具体化した実施の形態につき説明し、本発明の理解に供する。なお、図において、説明に関連しない部分は図示を省略する場合がある。
【００１６】
〔第１の実施の形態〕
本発明の第１の実施の形態に係る害虫撃退装置１００は、建物の外壁の下部に取り付けられ、例えばムカデ（害虫の一例）が建物の内部に侵入することを抑制できる。害虫撃退装置１００は、図１及び図２に示すように、絶縁シート６、下側電極５、及び上側電極４を備えている。
【００１７】
絶縁シート（ベース部材の一例）６は、絶縁材料で形成され、例えば、建物の外壁の下部（地面から例えば５０〜５００ｍｍの高さ位置）に取り付けられる。絶縁シート６は、横方向に長い矩形状をしている。絶縁シートは、例えば表面がコーティングされ、下側電極５及び上側電極４の間隙７に水がたまらない程度の撥水性を有している。
【００１８】
下側電極５は、絶縁シート６の表面に取り付けられている。下側電極５は、左右方向に延びる板状の電極である。下側電極５は、絶縁シート６の下端よりも上側に配置されている。従って、建物の外壁が濡れている場合であっても、下側電極５からの漏電が抑制される。
【００１９】
上側電極４は、絶縁シート６の表面に取り付けられている。上側電極４は、左右方向に延びる板状の電極である。上側電極４は、絶縁シート６の上端よりも下側に配置されている。従って、建物の外壁が濡れている場合であっても、上側電極４からの漏電が抑制される。上側電極４は、下側電極５の上側に配置され、下側電極５に対して間隙７をあけて配置されている。この間隙７は、例えば、２〜１０ｍｍである。間隙７においては、絶縁シート６が露出しているが、この絶縁シート６は、撥水性を有しているので、間隙７に水がたまることが抑制され、下側電極５及び上側電極４の間でショートすることが抑制される。
下側電極５及び上側電極４には、図示しない電源装置が接続され、電圧が印加されている。印加される電圧の大きさは、例えば、５〜１０００Ｖである。
【００２０】
次に、害虫撃退装置１００を用いたムカデの撃退方法について説明する。
使用者は、予め害虫撃退装置１００を建物の外壁の下部に設置する。害虫撃退装置１００は、外壁の周囲を隙間なく取り囲むように取り付けられることが好ましい。
外壁の下方から這い上がってくるムカデは、まず下側電極５に触れ、更に這い上がると、間隙７を跨いで上側電極４にも触れる。下側電極５及び上側電極４に触れたムカデには電流が流れる。その結果、ムカデは、電気的な衝撃を感じて這い上がることを断念する。
従って、害虫撃退装置１００によれば、建物内に侵入しようとするムカデを撃退できる。
【００２１】
〔第２の実施の形態〕
続いて、本発明の第２の実施の形態に係る害虫撃退装置２００について説明する。第１の実施の形態に係る害虫撃退装置１００と同一の構成要素については、同じ符号を付して詳しい説明を省略する。
【００２２】
本発明の第２の実施の形態に係る害虫撃退装置２００は、図３及び図４に示すように、絶縁シート６、下側電極５、及び上側電極４を備えている。
下側電極５と上側電極４の間にある間隙７には、間隙７が延びる方向に沿って、絶縁シート６から突出する突起９が形成されている。
このように、害虫撃退装置２００によれば、間隙７に突起９が形成されていることにより、間隙７に水滴がたまることが抑制されるので、絶縁シート６の撥水性能が経年変化により低下した場合であっても、電極間（下側電極５及び上側電極４の間）にてショートすることが抑制される。
【００２３】
〔第３の実施の形態〕
続いて、本発明の第３の実施の形態に係る害虫撃退装置３００について説明する。第１の実施の形態に係る害虫撃退装置１００と同一の構成要素については、同じ符号を付して詳しい説明を省略する。
【００２４】
本発明の第３の実施の形態に係る害虫撃退装置３００は、図５及び図６に示すように、絶縁シート６、下側電極５、及び上側電極４ａを備えている。
上側電極４ａの下部４１は外側に折り曲げられ、下側電極５の上端部の表面の側に延びている。換言すると、上側電極４ａの上端部の高さ位置は、下側電極５の上端部の高さ位置よりも高くなっており、上側電極４ａの下端部の高さ位置は、下側電極５の上端部の高さ位置以下となっている。
【００２５】
従って、間隙７が上側電極４ａの下部４１によって覆われているので、間隙７に水滴がたまることが抑制される。その結果、絶縁シート６の撥水性能が経年変化により低下した場合であっても、電極間（下側電極５及び上側電極４ａの間）にてショートすることが抑制される。
【００２６】
〔第４の実施の形態〕
続いて、本発明の第４の実施の形態に係る害虫撃退装置４００について説明する。第１の実施の形態に係る害虫撃退装置１００と同一の構成要素については、同じ符号を付して詳しい説明を省略する。
【００２７】
本発明の第４の実施の形態に係る害虫撃退装置４００は、図７及び図８に示すように、絶縁板１１、下側電極５、及び上側電極４を備えている。
絶縁板（ベース部材の一例）１１は、絶縁性を有している。また、絶縁板１１は、例えば表面がコーティングされ、撥水性を有している。絶縁板１１は、例えば、建物の外壁の下部（地面から例えば５０〜５００ｍｍの高さ位置）に取り付けられる。絶縁板１１は、正面から見ると横方向に長い矩形状であり、側面から見ると、上側が下側よりも厚くなるように形成されている。
上側電極４は、絶縁板１１の上側の表面に取り付けられ、下側電極５は、絶縁板１１の下側の表面に取り付けられている。従って、下側電極５及び上側電極４の間には、各電極４、５の厚み方向に間隙１２が形成されている。この間隙１２は、例えば、２〜１０ｍｍである。
【００２８】
換言すると、上側電極４は、下側電極５よりも下側電極５の厚み方向にずれて配置されている。側面から見ると、図８に示すように、上側電極４の方が、下側電極５よりも外側に配置され、上側電極４の上端部の高さ位置は、下側電極５の上端部の高さ位置よりも高くなっている。また、上側電極４の下端部の高さ位置は、下側電極５の上端部の高さ位置と実質的に同一となっている。
【００２９】
なお、害虫撃退装置４００の変形例として、図９及び図１０に示す害虫撃退装置４００ａのように、上側電極１８の上端部の高さ位置が、下側電極５の上端部の高さ位置よりも高くなっており、上側電極１８の下端部の高さ位置が、下側電極５の上端部の高さ位置よりも低くなっていてもよい。
【００３０】
すなわち、害虫撃退装置４００においては、上側電極４の上端部の高さ位置は、下側電極５の上端部の高さ位置よりも高くなっている。また、上側電極４の下端部の高さ位置は、下側電極５の上端部の高さ位置以下となっている。
従って、下側電極５及び上側電極４の間隙１２が水平方向に形成されているので、間隙１２に水滴がたまることが抑制され、絶縁板１１の撥水性能が経年変化により低下した場合であっても、電極間（下側電極５及び上側電極４の間）にてショートすることが抑制される。
【００３１】
〔第５の実施の形態〕
続いて、本発明の第５の実施の形態に係る害虫撃退装置５００について説明する。第１の実施の形態に係る害虫撃退装置１００と同一の構成要素については、同じ符号を付して詳しい説明を省略する。
【００３２】
本発明の第５の実施の形態に係る害虫撃退装置５００は、図１３に示すように、建物の下部に設けられた換気口１７を覆って取り付けられる。
害虫撃退装置５００は、図１１及び図１２に示すように、ベース部材１６、下側電極１４、及び上側電極１３を備えている。
【００３３】
ベース部材１６は、換気口１７（図１３参照）を塞ぐように取り付けられている。ベース部材１６は、図１１に示すように、複数の通気孔（第１の通気孔の一例）が形成された網状となっており、空気を通すことができる。ベース部材１６は、絶縁材料で形成されている。また、ベース部材１６は、例えば表面がコーティングされ、撥水性を有している。
下側電極１４は、ベース部材１６の表面に設けられている。下側電極１４は、左右方向に延び、複数の通気孔（第２の通気孔の一例）が形成された網状の電極である。下側電極１４は、ベース部材１６の下端よりも上側に配置されている。従って、害虫撃退装置５００が取り付けられる建物の外壁が濡れている場合であっても、下側電極１４からの漏電が抑制される。
上側電極１３は、ベース部材１６の表面に設けられている。上側電極１３は、左右方向に延び、複数の通気孔（第３の通気孔の一例）が形成された網状の電極である。上側電極１３は、ベース部材１６の上端よりも下側に配置されている。従って、建物の外壁が濡れている場合であっても、上側電極１３からの漏電が抑制される。上側電極１３は、下側電極１４の上側に配置され、下側電極１４に対して間隙１５をあけて配置されている。
【００３４】
なお、ベース部材１６、下側電極１４、及び上側電極１３にそれぞれ形成された通気孔の大きさは、ムカデが換気口１７（図１３参照）の内部に侵入できないよう、ムカデの大きさよりも小さくなっている。
下側電極１４及び上側電極１３には、図示しない電源装置が接続され、電圧が印加されている。印加される電圧の大きさは、例えば、５〜１０００Ｖである。
【００３５】
従って、害虫撃退装置５００は、換気口１７を覆って設置されるので、換気口１７からのムカデの侵入を抑制するだけでなく、害虫撃退装置５００を伝って這い上がろうとするムカデを撃退できる。
間隙１５には、間隙１５が延びる方向に沿って、ベース部材１６から突出する突起（不図示）が形成されていてもよい。この突起が形成されていることにより、間隙１５に水滴がたまることが抑制される。
【００３６】
以上、本発明の実施の形態を説明したが、本発明は、上記した形態に限定されるものでなく、要旨を逸脱しない条件の変更等は全て本発明の適用範囲である。
害虫撃退装置が撃退できる害虫はムカデに限定されるものではない。害虫撃退装置は、間隙の大きさや電極に印加される電圧の大きさに応じて、種々の害虫を撃退できる。
【符号の説明】
【００３７】
４    上側電極
４ａ  上側電極
５    下側電極
６    絶縁シート
７    間隙
９    突起
１１  絶縁板
１２  間隙
１３  上側電極
１４  下側電極
１５  間隙
１６  ベース部材
１７  換気口
１８  上側電極
４１  下部
１００  害虫撃退装置
２００  害虫撃退装置
３００  害虫撃退装置
４００  害虫撃退装置
５００  害虫撃退装置
【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
建物の外壁に取り付けられるムカデ撃退装置であって、
絶縁性及び撥水性を有し、前記外壁に取り付けられるベース部材と、
前記ベース部材の表面に設けられた平板状の下側電極と、
前記ベース部材の表面に設けられ、前記下側電極に対して間隙をあけて配置された平板状の上側電極と、を備え、
前記下側電極が、前記ベース部材の下端よりも上側に配置され、該下側電極からの漏電を抑制するために前記外壁から離れており、
前記上側電極が、前記ベース部材の上端よりも下側に配置され、該上側電極からの漏電を抑制するために前記外壁から離れており、
前記上側電極及び前記下側電極に電圧が印加されるムカデ撃退装置。
【請求項２】
請求項１記載のムカデ撃退装置において、
前記間隙に水が貯まることを抑制する抑制構造を更に備えたムカデ撃退装置。
【請求項３】
請求項２記載のムカデ撃退装置において、
前記抑制構造は、前記間隙に設けられた突起を有するムカデ撃退装置。
【請求項４】
請求項１記載のムカデ撃退装置において、
前記上側電極の上端部の高さ位置が、前記下側電極の上端部の高さ位置よりも高く、該上側電極の下端部の高さ位置が、前記下側電極の上端部の高さ位置以下となっているムカデ撃退装置。
【請求項５】
請求項４記載のムカデ撃退装置において、
前記上側電極が、前記下側電極よりも該下側電極の厚み方向にずれて配置されているムカデ撃退装置。
【請求項６】
請求項４記載のムカデ撃退装置において、
前記上側電極の下部が、前記下側電極の表面の側に延びているムカデ撃退装置。
【請求項７】
絶縁性及び撥水性を有し、第１の通気孔が形成されたベース部材と、
前記ベース部材の表面に設けられ、第２の通気孔が形成された下側電極と、
前記ベース部材の表面に設けられ、前記下側電極に対して間隙をあけて配置され、第３の通気孔が形成された上側電極と、を備え、
前記上側電極及び前記下側電極に電圧が印加され、
建物に設けられた換気口を覆う害虫撃退装置。
【手続補正２】
【補正対象書類名】明細書
【補正対象項目名】全文
【補正方法】変更
【補正の内容】
【発明の詳細な説明】
【技術分野】
【０００１】
本発明は、ムカデ撃退装置及び害虫撃退装置に関する。
【背景技術】
【０００２】
特許文献１には、厨房、食堂、食品保存室等に設置されている収納家具、流し台キャビネット、テーブル等に付設する電撃式防虫装置が記載されている。
この電撃式防虫装置は、それぞれ断面形状が異なる少なくとも一対の電撃用の電極帯を絶縁基板上に相互間に小間隙をもたせ、かつ平行に配設し、前記一対の電極帯に定電圧を印加する電源装置を備えている。
【先行技術文献】
【特許文献】
【０００３】
【特許文献１】特開昭６０−１３７２３６号公報
【発明の概要】
【発明が解決しようとする課題】
【０００４】
ここで、一対の電極を有する害虫撃退装置は、雨天時に電極から漏電する可能性がある。
本発明は、電極からの漏電を抑制できるムカデ撃退装置及び害虫撃退装置を提供することを目的とする。
【課題を解決するための手段】
【０００５】
前記目的に沿う第１の発明に係るムカデ撃退装置は、建物の外壁に取り付けられるムカデ撃退装置であって、
絶縁性及び撥水性を有し、前記外壁に取り付けられるベース部材と、
前記ベース部材の表面に設けられた平板状の下側電極と、
前記ベース部材の表面に設けられ、前記下側電極に対して間隙をあけて配置された平板状の上側電極と、を備え、
前記下側電極が、前記ベース部材の下端よりも上側に配置され、該下側電極からの漏電を抑制するために前記外壁から離れており、
前記上側電極が、前記ベース部材の上端よりも下側に配置され、該上側電極からの漏電を抑制するために前記外壁から離れており、
前記上側電極及び前記下側電極に電圧が印加される。
【０００６】
【０００７】
第１の発明に係るムカデ撃退装置において、
前記間隙に水が貯まることを抑制する抑制構造を更に備えていてもよい。
【０００８】
第１の発明に係るムカデ撃退装置において、
前記抑制構造は、前記間隙に設けられた突起を有することが好ましい。
【０００９】
第１の発明に係るムカデ撃退装置において、
前記上側電極の上端部の高さ位置が、前記下側電極の上端部の高さ位置よりも高く、該
上側電極の下端部の高さ位置が、前記下側電極の上端部の高さ位置以下となっていること
が好ましい。
【００１０】
第１の発明に係るムカデ撃退装置において、
前記上側電極が、前記下側電極よりも該下側電極の厚み方向にずれて配置されているこ
とが好ましい。
【００１１】
第１の発明に係るムカデ撃退装置において、
前記上側電極の下部が、前記下側電極の表面の側に延びていることが好ましい。
【００１２】
前記目的に沿う第２の発明に係る害虫撃退装置は、絶縁性及び撥水性を有し、第１の通
気孔が形成されたベース部材と、
前記ベース部材の表面に設けられ、第２の通気孔が形成された下側電極と、
前記ベース部材の表面に設けられ、前記下側電極に対して間隙をあけて配置され、第３
の通気孔が形成された上側電極と、を備え、
前記上側電極及び前記下側電極に電圧が印加され、
建物に設けられた換気口を覆う。
【発明の効果】
【００１３】
本発明によれば、電極からの漏電を抑制できるムカデ撃退装置及び害虫撃退装置を提供できる。
【図面の簡単な説明】
【００１４】
【図１】本発明の第１の実施の形態に係る害虫撃退装置の斜視図である。
【図２】同害虫撃退装置の側面図である。
【図３】本発明の第２の実施の形態に係る害虫撃退装置の斜視図である。
【図４】同害虫撃退装置の側面図である。
【図５】本発明の第３の実施の形態に係る害虫撃退装置の斜視図である。
【図６】同害虫撃退装置の側面図である。
【図７】本発明の第４の実施の形態に係る害虫撃退装置の斜視図である。
【図８】同害虫撃退装置の側面図である。
【図９】同害虫撃退装置の変形例を示す斜視図である。
【図１０】同害虫撃退装置の変形例を示す側面図である。
【図１１】本発明の第５の実施の形態に係る害虫撃退装置の斜視図である。
【図１２】同害虫撃退装置の側面図である。
【図１３】同害虫撃退装置と換気口との位置関係を示す説明図である。
【発明を実施するための形態】
【００１５】
続いて、添付した図面を参照しつつ、本発明を具体化した実施の形態につき説明し、本発明の理解に供する。なお、図において、説明に関連しない部分は図示を省略する場合がある。
【００１６】
〔第１の実施の形態〕
本発明の第１の実施の形態に係る害虫撃退装置１００は、建物の外壁の下部に取り付けられ、例えばムカデ（害虫の一例）が建物の内部に侵入することを抑制できる。害虫撃退装置１００は、図１及び図２に示すように、絶縁シート６、下側電極５、及び上側電極４を備えている。
【００１７】
絶縁シート（ベース部材の一例）６は、絶縁材料で形成され、例えば、建物の外壁の下部（地面から例えば５０〜５００ｍｍの高さ位置）に取り付けられる。絶縁シート６は、横方向に長い矩形状をしている。絶縁シートは、例えば表面がコーティングされ、下側電極５及び上側電極４の間隙７に水がたまらない程度の撥水性を有している。
【００１８】
下側電極５は、絶縁シート６の表面に取り付けられている。下側電極５は、左右方向に延びる板状の電極である。下側電極５は、絶縁シート６の下端よりも上側に配置されている。従って、建物の外壁が濡れている場合であっても、下側電極５からの漏電が抑制される。
【００１９】
上側電極４は、絶縁シート６の表面に取り付けられている。上側電極４は、左右方向に延びる板状の電極である。上側電極４は、絶縁シート６の上端よりも下側に配置されている。従って、建物の外壁が濡れている場合であっても、上側電極４からの漏電が抑制される。上側電極４は、下側電極５の上側に配置され、下側電極５に対して間隙７をあけて配置されている。この間隙７は、例えば、２〜１０ｍｍである。間隙７においては、絶縁シート６が露出しているが、この絶縁シート６は、撥水性を有しているので、間隙７に水がたまることが抑制され、下側電極５及び上側電極４の間でショートすることが抑制される。
下側電極５及び上側電極４には、図示しない電源装置が接続され、電圧が印加されている。印加される電圧の大きさは、例えば、５〜１０００Ｖである。
【００２０】
次に、害虫撃退装置１００を用いたムカデの撃退方法について説明する。
使用者は、予め害虫撃退装置１００を建物の外壁の下部に設置する。害虫撃退装置１００は、外壁の周囲を隙間なく取り囲むように取り付けられることが好ましい。
外壁の下方から這い上がってくるムカデは、まず下側電極５に触れ、更に這い上がると、間隙７を跨いで上側電極４にも触れる。下側電極５及び上側電極４に触れたムカデには電流が流れる。その結果、ムカデは、電気的な衝撃を感じて這い上がることを断念する。
従って、害虫撃退装置１００によれば、建物内に侵入しようとするムカデを撃退できる。
【００２１】
〔第２の実施の形態〕
続いて、本発明の第２の実施の形態に係る害虫撃退装置２００について説明する。第１の実施の形態に係る害虫撃退装置１００と同一の構成要素については、同じ符号を付して詳しい説明を省略する。
【００２２】
本発明の第２の実施の形態に係る害虫撃退装置２００は、図３及び図４に示すように、絶縁シート６、下側電極５、及び上側電極４を備えている。
下側電極５と上側電極４の間にある間隙７には、間隙７が延びる方向に沿って、絶縁シート６から突出する突起９が形成されている。
このように、害虫撃退装置２００によれば、間隙７に突起９が形成されていることにより、間隙７に水滴がたまることが抑制されるので、絶縁シート６の撥水性能が経年変化により低下した場合であっても、電極間（下側電極５及び上側電極４の間）にてショートすることが抑制される。
【００２３】
〔第３の実施の形態〕
続いて、本発明の第３の実施の形態に係る害虫撃退装置３００について説明する。第１の実施の形態に係る害虫撃退装置１００と同一の構成要素については、同じ符号を付して詳しい説明を省略する。
【００２４】
本発明の第３の実施の形態に係る害虫撃退装置３００は、図５及び図６に示すように、絶縁シート６、下側電極５、及び上側電極４ａを備えている。
上側電極４ａの下部４１は外側に折り曲げられ、下側電極５の上端部の表面の側に延びている。換言すると、上側電極４ａの上端部の高さ位置は、下側電極５の上端部の高さ位置よりも高くなっており、上側電極４ａの下端部の高さ位置は、下側電極５の上端部の高さ位置以下となっている。
【００２５】
従って、間隙７が上側電極４ａの下部４１によって覆われているので、間隙７に水滴がたまることが抑制される。その結果、絶縁シート６の撥水性能が経年変化により低下した場合であっても、電極間（下側電極５及び上側電極４ａの間）にてショートすることが抑制される。
【００２６】
〔第４の実施の形態〕
続いて、本発明の第４の実施の形態に係る害虫撃退装置４００について説明する。第１の実施の形態に係る害虫撃退装置１００と同一の構成要素については、同じ符号を付して詳しい説明を省略する。
【００２７】
本発明の第４の実施の形態に係る害虫撃退装置４００は、図７及び図８に示すように、絶縁板１１、下側電極５、及び上側電極４を備えている。
絶縁板（ベース部材の一例）１１は、絶縁性を有している。また、絶縁板１１は、例えば表面がコーティングされ、撥水性を有している。絶縁板１１は、例えば、建物の外壁の下部（地面から例えば５０〜５００ｍｍの高さ位置）に取り付けられる。絶縁板１１は、正面から見ると横方向に長い矩形状であり、側面から見ると、上側が下側よりも厚くなるように形成されている。
上側電極４は、絶縁板１１の上側の表面に取り付けられ、下側電極５は、絶縁板１１の下側の表面に取り付けられている。従って、下側電極５及び上側電極４の間には、各電極４、５の厚み方向に間隙１２が形成されている。この間隙１２は、例えば、２〜１０ｍｍである。
【００２８】
換言すると、上側電極４は、下側電極５よりも下側電極５の厚み方向にずれて配置されている。側面から見ると、図８に示すように、上側電極４の方が、下側電極５よりも外側に配置され、上側電極４の上端部の高さ位置は、下側電極５の上端部の高さ位置よりも高くなっている。また、上側電極４の下端部の高さ位置は、下側電極５の上端部の高さ位置と実質的に同一となっている。
【００２９】
なお、害虫撃退装置４００の変形例として、図９及び図１０に示す害虫撃退装置４００ａのように、上側電極１８の上端部の高さ位置が、下側電極５の上端部の高さ位置よりも高くなっており、上側電極１８の下端部の高さ位置が、下側電極５の上端部の高さ位置よりも低くなっていてもよい。
【００３０】
すなわち、害虫撃退装置４００においては、上側電極４の上端部の高さ位置は、下側電極５の上端部の高さ位置よりも高くなっている。また、上側電極４の下端部の高さ位置は、下側電極５の上端部の高さ位置以下となっている。
従って、下側電極５及び上側電極４の間隙１２が水平方向に形成されているので、間隙１２に水滴がたまることが抑制され、絶縁板１１の撥水性能が経年変化により低下した場合であっても、電極間（下側電極５及び上側電極４の間）にてショートすることが抑制される。
【００３１】
〔第５の実施の形態〕
続いて、本発明の第５の実施の形態に係る害虫撃退装置５００について説明する。第１の実施の形態に係る害虫撃退装置１００と同一の構成要素については、同じ符号を付して詳しい説明を省略する。
【００３２】
本発明の第５の実施の形態に係る害虫撃退装置５００は、図１３に示すように、建物の下部に設けられた換気口１７を覆って取り付けられる。
害虫撃退装置５００は、図１１及び図１２に示すように、ベース部材１６、下側電極１４、及び上側電極１３を備えている。
【００３３】
ベース部材１６は、換気口１７（図１３参照）を塞ぐように取り付けられている。ベース部材１６は、図１１に示すように、複数の通気孔（第１の通気孔の一例）が形成された網状となっており、空気を通すことができる。ベース部材１６は、絶縁材料で形成されている。また、ベース部材１６は、例えば表面がコーティングされ、撥水性を有している。
下側電極１４は、ベース部材１６の表面に設けられている。下側電極１４は、左右方向に延び、複数の通気孔（第２の通気孔の一例）が形成された網状の電極である。下側電極１４は、ベース部材１６の下端よりも上側に配置されている。従って、害虫撃退装置５００が取り付けられる建物の外壁が濡れている場合であっても、下側電極１４からの漏電が抑制される。
上側電極１３は、ベース部材１６の表面に設けられている。上側電極１３は、左右方向に延び、複数の通気孔（第３の通気孔の一例）が形成された網状の電極である。上側電極１３は、ベース部材１６の上端よりも下側に配置されている。従って、建物の外壁が濡れている場合であっても、上側電極１３からの漏電が抑制される。上側電極１３は、下側電極１４の上側に配置され、下側電極１４に対して間隙１５をあけて配置されている。
【００３４】
なお、ベース部材１６、下側電極１４、及び上側電極１３にそれぞれ形成された通気孔の大きさは、ムカデが換気口１７（図１３参照）の内部に侵入できないよう、ムカデの大きさよりも小さくなっている。
下側電極１４及び上側電極１３には、図示しない電源装置が接続され、電圧が印加されている。印加される電圧の大きさは、例えば、５〜１０００Ｖである。
【００３５】
従って、害虫撃退装置５００は、換気口１７を覆って設置されるので、換気口１７からのムカデの侵入を抑制するだけでなく、害虫撃退装置５００を伝って這い上がろうとするムカデを撃退できる。
間隙１５には、間隙１５が延びる方向に沿って、ベース部材１６から突出する突起（不図示）が形成されていてもよい。この突起が形成されていることにより、間隙１５に水滴がたまることが抑制される。
【００３６】
以上、本発明の実施の形態を説明したが、本発明は、上記した形態に限定されるものでなく、要旨を逸脱しない条件の変更等は全て本発明の適用範囲である。
害虫撃退装置が撃退できる害虫はムカデに限定されるものではない。害虫撃退装置は、間隙の大きさや電極に印加される電圧の大きさに応じて、種々の害虫を撃退できる。
【符号の説明】
【００３７】
４    上側電極
４ａ  上側電極
５    下側電極
６    絶縁シート
７    間隙
９    突起
１１  絶縁板
１２  間隙
１３  上側電極
１４  下側電極
１５  間隙
１６  ベース部材
１７  換気口
１８  上側電極
４１  下部
１００  害虫撃退装置
２００  害虫撃退装置
３００  害虫撃退装置
４００  害虫撃退装置
５００  害虫撃退装置